(57)【特許請求の範囲】
【請求項１】
薬剤の、少なくとも形状、大きさ、種類の性状を含む薬剤データを認識する認識部と、
薬剤を格納する格納部と、
前記格納部への薬剤の格納状況を記憶する格納情報記憶部と、
薬剤に関するデータを記録する薬剤関連データテーブルを記憶する記憶部と、
を備え、
収容された薬剤を前記認識部により認識することで得られる前記薬剤データおよび格納情報記憶部に基づいて、当該薬剤が格納される格納位置を決定し、
前記薬剤を格納し、
格納した前記薬剤の薬剤データと、前記格納位置データとを関連付けて前記薬剤関連データテーブルに記録することを特徴とする
薬剤を仕分けして格納する薬剤仕分装置。
【請求項２】
外部からの処方データを受けると、前記処方データに対応する薬剤を前記記憶部における前記薬剤関連データテーブルに記録される格納データに基づいて、前記格納部から抽出して払出を行うことを特徴とする
請求項１記載の薬剤仕分装置。
【請求項３】
前記収容された薬剤が、未使用の返品薬剤であることを特徴とする
請求項２記載の薬剤仕分装置。
【請求項４】
前記収容された薬剤が、未使用の新しい薬剤であることを特徴とする
請求項２記載の薬剤仕分装置。
【請求項５】
外部からの処方データを受けて、払出指示データを生成する薬剤収容制御装置と、
前記認識部と前記格納部とを含むと共に、前記払出指示データを受けると、前記払出指示データに対応する薬剤を、前記記憶部における前記薬剤関連データテーブルに記録される格納データに基づいて、前記格納部から抽出して払出を行う収容薬払出装置と、
前記格納部に格納された薬剤の中から回収される薬剤を抽出するための回収条件が入力され、前記回収条件に基づき回収される前記格納部に格納された薬剤のリストを生成して前記薬剤収容制御装置に対して指示する指示端末と、
を更に備え、
前記薬剤収容制御装置は、前記指示端末からの、前記格納部に格納された薬剤の前記リストを受けて、回収データを生成し、
前記収容薬払出装置は、前記回収データを受けると、前記回収データに対応する薬剤を前記記憶部における前記薬剤関連データテーブルに記録される格納データに基づいて前記格納部から抽出して回収を行う
ことを特徴とする請求項２記載の薬剤仕分装置。
【請求項６】
前記指示端末は、前記回収条件を設定する条件設定画面を表示する表示手段を有する、ことを特徴とする請求項５記載の薬剤仕分装置。
【請求項７】
前記回収条件は、薬品名、薬の種類、薬の有効期限および前記収容薬払出装置における薬の滞留期間のうちの少なくとも一つを含む、
ことを特徴とする請求項５記載の薬剤仕分装置。
【請求項８】
前記収容薬払出装置は払出ラインシステムに含まれ、
前記払出ラインシステムは、前記格納部に格納された薬剤とともに前記格納部に格納されていない薬剤を管理し、管理対象である前記格納部に格納された薬剤及び前記格納部に格納されていない薬剤の中から、払出指示データに基づき薬剤の払出を行い、
前記払出ラインシステムは、払出を行った薬剤の情報を示す帳票を印刷する印刷装置を備え、
前記印刷装置は、前記格納部に格納された薬剤の中から払出があったときは、その旨を示す情報を前記帳票に表示する
ことを特徴とする請求項５記載の薬剤仕分装置。
【請求項９】
前記収容薬払出装置は払出ラインシステムに含まれ、
前記払出ラインシステムは、払出又は回収を行った薬剤の情報を示す帳票を印刷する印刷装置を備え、
前記印刷装置は、書き換え可能なカードに前記回収条件を印刷する
ことを特徴とする請求項５記載の薬剤仕分装置。
【請求項１０】
前記収容薬払出装置は、薬品毎に払出の優先順位に基づいて払出を行う、
ことを特徴とする請求項５記載の薬剤仕分装置。
【請求項１１】
前記優先順位は、薬剤の有効期限、及び他の払出装置に対する前記収容薬払出装置そのものの優先度のうち少なくとも一つに基づいて決定される、
ことを特徴とする請求項１０記載の薬剤仕分装置。
【請求項１２】
外部からの処方データを受けて、払出指示データを生成する薬剤返戻制御装置と、
前記認識部と前記格納部とを含むと共に、前記払出指示データを受けると、前記払出指示データに対応する薬剤を前記記憶部における前記薬剤関連データテーブルに記録される格納データに基づいて、前記格納部から抽出して払出を行う返品薬払出装置と、
返品薬剤の中から回収される薬剤を抽出するための回収条件が入力され、前記回収条件に基づき回収される返品薬剤のリストを生成して前記薬剤返戻制御装置に対して指示する指示端末と、
を更に備え、
前記薬剤返戻制御装置は、前記指示端末からの返品薬剤の前記リストを受けて、回収データを生成し、
前記返品薬払出装置は、前記回収データを受けると、前記回収データに対応する薬剤を前記記憶部における前記薬剤関連データテーブルに記録される格納データに基づいて前記格納部から抽出して回収を行う
ことを特徴とする請求項３記載の薬剤仕分装置。
【請求項１３】
返品薬剤を管理し、管理する返品薬剤の中から所望の薬剤を抽出し、払出又は回収を行う払出ラインシステムに対して、回収すべき返品薬剤の指示を行う指示端末であって、
返品薬剤の中から回収すべき薬剤を抽出するための回収条件を入力する条件設定画面を表示する表示手段と、
前記表示手段上で設定された回収条件に基づき回収すべき薬剤のリストを生成する制御手段と、
前記生成したリストを前記払出ラインシステムに送信する送信手段と、
を備えたことを特徴とする回収薬剤の指示端末。
【請求項１４】
コンピュータを請求項１３に記載の指示端末として機能させるためのプログラム。
【発明の詳細な説明】
【技術分野】
【０００１】
本発明は、薬剤仕分装置に関する。
【背景技術】
【０００２】
患者に処方された薬剤が、処方変更等の理由により医療機関内の薬剤処方を管理する部署に返却される場合がある（返品薬剤）。特許文献１には、返品薬剤の処理作業の効率化と、この作業におけるヒューマンエラー防止のための、返品薬剤を自動的に認識して格納する返品薬剤仕分装置を開示している。
【先行技術文献】
【特許文献】
【０００３】
【特許文献１】特開２０１３−２１５３４３号公報
【発明の概要】
【発明が解決しようとする課題】
【０００４】
一般に、返品薬剤は、種類、形状、大きさ、使用期限等の性状が種々異なる。しかし、特許文献１に開示されたものを含め、従来の返品薬剤仕分装置では、性状が種々異なる返品薬剤をその後の払出作業の効率等の要因を考慮した高い自由度を確保して格納することについて、特段の考慮が払われていない。より具体的には、性状が種々異なる返品薬剤を、例えば処方情報に応じた自由な払い出しが可能となるように、高い自由度を確保して格納することについて、特段の考慮が払われていない。【０００５】
本発明は、種類、形状、大きさ、使用期限等の性状が種々異なり、かつ非整列状態で供給された薬剤を、自動的に認識して高い自由度を確保して格納することを課題とする。
【課題を解決するための手段】
【０００６】
本発明の実施の形態１に係る薬剤仕分装置は、薬剤の、少なくとも形状、大きさ、種類の性状を含む薬剤データを認識する認識部と、
薬剤を格納する格納部と、
前記格納部への薬剤の格納状況を記憶する格納情報記憶部と、
薬剤に関するデータを記録する薬剤関連データテーブルを記憶する記憶部と、
を備え、
収容された薬剤を前記認識部により認識することで得られる前記薬剤データおよび格納情報記憶部に基づいて、当該薬剤が格納される格納位置を決定し、
前記薬剤を格納し、
格納した前記薬剤の薬剤データと、前記格納位置データとを関連付けて前記薬剤関連データテーブルに記録する。
【発明の効果】
【０００７】
本発明の薬剤仕分装置によれば、薬剤の向き及び姿勢と、形状、大きさ、種類、使用期限のような性状とを自動的に認識し、例えば処方情報に応じた自由な払い出しが可能であるような、高い自由度を確保して薬剤を格納できる。
【図面の簡単な説明】
【０００８】
【図１】本発明の実施の形態１に係る返品薬管理システムの概略構成図である。
【図２】本発明の実施の形態１に係る返品薬管理システムにおける薬剤返戻制御装置が格納するデータベースのレイアウトを示す図である。（Ａ）は返品薬払出装置在庫用テーブルのレイアウトを示す図である。（Ｂ）は返品薬払出装置払出用テーブルのレイアウトを示す図である。（Ｃ）は返品薬払出装置回収用テーブルのレイアウトを示す図である。
【図３】本発明の実施の形態１に係る返品薬管理システムにおける指示端末に接続するローカルデータベースのレイアウトを示す図である。
【図４】返品薬払出装置、及び返品薬払出装置を含む払出ラインシステムの、構成図である。
【図５】図５（１）は、払出時における、処理の流れを示す図である。図５（２）は、回収時における、処理の流れを示す図である。
【図６】本発明の実施の形態１における、払出処理のフローチャートである。
【図７】図７（ａ）は、本発明の実施の形態１に係る返品薬管理システムのメイン画面図である。図７（ｂ）は、返品薬管理システムのメイン画面図にて、各種設定ボタンをタッチした際に示されるボタンである。
【図８】本発明の実施の形態１に係る返品薬管理システムの薬剤回収画面図である。
【図９】返品薬管理システムの薬品回収処理の対象データを抽出するためのフローチャートである。
【図１０】返品薬払出装置回収用テーブルにレコードを作成する処理例のフローチャートである。
【図１１】本発明の実施の形態１における、回収処理のフローチャートである。
【図１２】本発明の実施の形態１に係る返品薬管理システムの自動回収設定（パターン設定）画面図である。
【図１３】本発明の実施の形態１に係る返品薬管理システムの自動回収設定画面図（一覧図）である。
【図１４】本発明の実施の形態１に係る返品薬管理システムの薬品有効期限登録一覧画面図である。
【図１５】本発明の実施の形態１に係る返品薬管理システムの薬品有効期限登録画面図である。
【図１６】本発明の実施の形態１に係る返品薬管理システムの、各種設定におけるその他設定画面図である。
【図１７】本発明の実施の形態１に係る返品薬管理システムの、返却薬品設定画面図である。
【図１８】本発明の実施の形態１に係る返品薬管理システムの返却許可設定画面図である。
【図１９】返却許可設定画面による返却許可設定に基づく処理のフローチャートである。
【図２０】本発明の実施の形態１に係る返品薬管理システムの返却トレイ病棟登録画面図である。
【図２１】本発明の実施の形態１に係る返品薬管理システムの入出庫照会画面図である。
【図２２】本発明の実施の形態１に係る払出ラインシステムにより出力される病棟別薬品集計表の図である。
【図２３】薬品集計表におけるマークを付す処理のフローチャートである。
【図２４】図２４（ａ）は、本発明の実施の形態１に係る払出ラインシステムにより出力される回収リライトカードの図である。図２４（ｂ）は、回収リライトカードを出力する処理のフローチャートである。
【発明を実施するための形態】
【０００９】
以下、図面を参照しつつ、本発明に係る好適な実施形態を説明する。
【００１０】
なお、以下の実施形態の説明では、返品薬管理システム（薬剤仕分装置）に収容される薬剤として、病院等における未使用の返品薬を取り挙げている。ここで、本発明に係る実施形態においては、収容される薬剤は未使用の返品薬に限定されない。つまり、収容される薬剤は、製薬メーカから納入された新しい薬剤を収納箱から取出してランダムに収容したものであってもよい。更に、そのランダムに収容することとは、同一薬品を整列させることなく収容することや、複数種の新たな未使用薬品を同時に収容することなどであってもよい。
【００１１】
［実施の形態１］
１．構成
１．１．返品薬管理システム（薬剤仕分装置）の構成
図１は、本発明の実施の形態１に係る返品薬管理システム（薬剤仕分装置）の概略の構成を示す図である。実施の形態１に係る返品薬管理システムは、返品薬払出装置（収容薬払出装置）２、指示端末４、及び薬剤返戻制御装置（薬剤収容制御装置）６により構成される。
【００１２】
図１に示す指示端末４は、制御部（プロセッサ）、入力部、表示部、記憶部、外部機器インタフェース部、及び通信インタフェース部を備える。制御部（プロセッサ）は、演算処理及びシステム全体の制御を行う。制御部は、ＣＰＵ、ＭＰＵ等のプロセッサを含み、所定のプログラムを実行することにより、後述する機能を実現する。入力部は、装置に対する入力データを生成する若しくは受け取る部位であり、通常、キーボード、マウス、タッチパネル等により構成される。表示部は、プロセッサ（制御部）による処理結果等を表示する部位であり、液晶ディスプレイ、有機ＥＬディスプレイ、プラズマディスプレイ等により構成される。記憶部は、制御部（プロセッサ）で稼働するプログラムやモデル生成に必要なパラメータデータ等を記憶している。外部機器インタフェース部は、プリンタ等の外部機器とのインタフェースとして動作する部位である。通信インタフェース部は、外部ネットワークと通信するためのインタフェースとして動作する部位である。これらのプロセッサ（制御部）、入力部、表示部、記憶部、外部機器インタフェース部、及び通信インタフェース部は、適切なバスにより相互に接続されている。指示端末４は、デスクトップパソコン、ノートパソコン、ワークステーション、又はタブレット端末のような情報処理装置で構成される。更に、指示端末４は、薬剤に関するデータの記憶部としてのローカルデータベース３を備える。
【００１３】
また、薬剤返戻制御装置（薬剤収容制御装置）６は、制御部（プロセッサ）、入力部、表示部、記憶部、外部機器インタフェース部、及び通信インタフェース部を備える。制御部（プロセッサ）は、演算処理及びシステム全体の制御を行う。制御部は、ＣＰＵ、ＭＰＵ等のプロセッサを含み、所定のプログラムを実行することにより、後述する機能を実現する。入力部は、装置に対する入力データを生成する若しくは受け取る部位であり、通常、キーボード、マウス、タッチパネル等により構成される。表示部は、プロセッサ（制御部）による処理結果等を表示する部位であり、液晶ディスプレイ、有機ＥＬディスプレイ、プラズマディスプレイ等により構成される。記憶部は、制御部（プロセッサ）で稼働するプログラムやモデル生成に必要なパラメータデータ等を記憶している。外部機器インタフェース部は、プリンタ等の外部機器とのインタフェースとして動作する部位である。通信インタフェース部は、外部ネットワークと通信するためのインタフェースとして動作する部位である。これらのプロセッサ（制御部）、入力部、表示部、記憶部、外部機器インタフェース部、及び通信インタフェース部は、適切なバスにより相互に接続されている。薬剤返戻制御装置６は、デスクトップパソコン、ノートパソコン、ワークステーション、又はタブレット端末のような情報処理装置で構成される。薬剤返戻制御装置６は、更に、薬剤に関するデータの記憶部としての複数のテーブル７ａ、７ｂ、７ｃ・・・を格納するデータベース５と接続する。
【００１４】
データベース５は、返品薬払出装置在庫用テーブル７ａ、返品薬払出装置払出用テーブル７ｂ、返品薬払出装置回収用テーブル７ｃ、返品薬払出装置共有設定テーブル、及び、薬品マスタ等（図２参照）の、薬剤関連データテーブルを含む。一方、指示端末４に付属するローカルデータベース３は、返品薬在庫テーブル９等（図３参照）の、薬剤関連データテーブルを含む。
【００１５】
返品薬払出装置在庫用テーブル７ａは、返品薬払出装置２内に格納される返品薬剤の内容を表すテーブル（データベース）であり、返品薬払出装置２の返却動作時に新規のレコードが発生する。図２（Ａ）に、返品薬払出装置在庫用テーブル７ａのレイアウトを示す。
【００１６】
返品薬払出装置払出用テーブル７ｂは、払出動作の対象となる返品薬払出装置２内に存在する返品薬剤及び払出内容を示すテーブル（データベース）であり、返品薬払出装置２の返却動作時に新規のレコードが発生する。図２（Ｂ）に、返品薬払出装置払出用テーブル７ｂのレイアウトを示す。
【００１７】
返品薬払出装置回収用テーブル７ｃは、回収される返品薬払出装置２内に存在する返品薬剤及び回収理由などを示すテーブル（データベース）であり、返品薬払出装置２の回収動作時に新規のレコードが発生する。図２（Ｃ）に、返品薬払出装置回収用テーブル７ｃのレイアウトを示す。
【００１８】
なお、本実施形態における「回収」動作は、特定の条件に該当する薬剤を格納部１５からまとめて払い出す動作であり、その特定の条件には「有効期限が切れたこと」や「特定の薬種であること」など種々の条件が含まれる。従って、「回収」動作は、処方データに基づいて行われる薬剤の「払出」動作とは明確に異なる動作である。なお、「有効期限」は「使用期限」と言い換えられることがあるが、両語は同義である。
【００１９】
薬品マスタは、薬品コードをキー項目（キーフィールド）とし、各薬品の特性データ・属性データを備えるマスタファイルである。なお、本実施形態の薬品マスタは、各病院が採用する薬品についてのマスタファイルであればよい。
【００２０】
ローカルデータベース３の返品薬在庫テーブル９は、返品薬払出装置２の格納部１５における格納位置（アドレス）などを示すローカルファイルであり、返品薬払出装置２の返却動作時に新規のレコードが発生する。図３に、返品薬在庫テーブル９のレイアウトを示す。
【００２１】
格納情報記憶部は、格納部１５への薬剤の格納状況を記憶する記憶領域であり、指示端末４の記憶部に含まれてもよいし、薬剤返戻制御装置（薬剤収容制御装置）６の記憶部に含まれてもよい。
【００２２】
返品薬払出装置（収容薬払出装置）２は、薬剤返戻制御装置６及び指示端末４と必要なデータを遣り取りしつつ、返品薬管理システム（薬剤仕分装置）に収容された未使用の返品薬剤を、（後でも説明する）認識部１４により認識してその認識に従い返品薬剤を自らの（後でも説明する）格納部１５に仕分けして格納する。つまり、返品薬払出装置２は認識部１４の認識動作に基づき、（返品薬払出装置２への返却日時と連番で構成される）「薬品識別コード」、「返品薬払出装置そのもののユニットの番号」、（個々の薬品に付される）「薬品バーコード」、「有効期限」、「薬品の径と全長」、「薬品の向き及び姿勢」などの薬剤の性状に係るデータを把握し、これらデータに基づいて返品薬管理システムに対して、格納部１５における格納位置を検索するように通知する。返品薬管理システムは、返品薬払出装置２からのデータに基づいて、返品薬払出装置２の格納部１５における充填位置、即ち、空き位置と置き方を、格納情報記憶部を用いて検索する。
【００２３】
返品薬剤の格納部１５における空き位置と置き方について説明する。後でも述べるように、格納部１５には、鉛直方向に複数の棚が設けられ、各棚には格納トレイが配置される。各棚の格納トレイには複数の列が設けられ、更に、各列は複数の横（方向の）位置を備える。格納トレイは、Ｓサイズ（の薬剤）用のもの、Ｍサイズ（の薬剤）用のもの、及びＬサイズ（の薬剤）用のものに分類されている。返品薬管理システムは、返品薬払出装置２から返品薬剤のサイズ（のデータ）を受け取ると、返品薬剤がＳ、Ｍ、Ｌのいずれのサイズであるかを判断し、それに対応した格納トレイを特定する。その上で、返品薬管理システムは、格納情報記憶部を用いて、当該サイズの薬剤を配置できる領域（薬剤間のマージン領域も含む）があるかどうかを見つけようとし（即ち、検索し）、あれば充填位置情報（即ち、（後でも説明する）「棚、列、横位置」のデータ）が決定されることになる。このとき（後で説明する）マスクが設定された位置については、検索の対象外となる。
【００２４】
指示端末４は、検索の結果決定した充填位置情報、即ち、（後でも説明する）「棚、列、横位置」データを「薬品識別コード」や「返品薬払出装置そのもののユニットの番号」のデータと共に、返品薬払出装置２に通知する。返品薬払出装置２は、受け取った充填位置情報により、格納部１５への返品薬剤の仕分及び格納を行う。
【００２５】
格納部１５への返品薬剤の仕分及び格納後には、返品薬管理システムは、格納情報記憶部において、充填位置にマスクをかける。これにより、以後、同じ位置に重ねて薬剤が配置（格納）されることは無くなる。このように、格納情報記憶部において、格納トレイの薬剤が配置されている位置ではマスクが設定され、薬剤が（払出等により）存在しない位置ではマスクが外され該位置は配置（充填）可能領域として存在する。以上のように、返品薬管理システムは、配置可能領域の検索に当たっては、配置しようとする薬剤が最も効率的に配置（格納）され得る場所を見つけようとする。よって、格納部１５にて無駄な格納スペースが生じることが無い。
【００２６】
また、薬剤返戻制御装置６は、返品薬払出装置２から受け取る「薬品バーコード」から薬品コードを抽出し、この薬品コードをキー項目としてデータベース５における薬品マスタを検索して、薬品の種類、名称、区分（冷所保管、抗がん剤、劇薬、等）などのデータを把握する。更に、返品薬払出装置２の格納部１５への格納発生を示すデータが、返品薬払出装置２から薬剤返戻制御装置６及び指示端末４に即座に通知されて、薬剤返戻制御装置６は、（後でも説明するように）、返品薬払出装置在庫用テーブル７ａ（図２（Ａ）参照）と返品薬払出装置払出用テーブル７ｂ（図２（Ｂ）参照）にレコードを作成し、指示端末４は、ローカルデータベース３内の返品薬在庫テーブル９（図３参照）にレコードを作成する。このとき、ローカルデータベース３内の返品薬在庫テーブル９には、格納される薬剤に係るデータと格納部１５における充填位置に係るデータとが関連付けて格納される。
【００２７】
薬剤払出時には、薬剤返戻制御装置６は、払い出す薬剤の条件を指定した払出指示を生成して返品薬払出装置２へ送信する。返品薬払出装置２は、薬剤返戻制御装置６から受信した払出指示に従い払出動作を行う。
【００２８】
なお、返品薬払出装置２を含む（後で説明する）払出ラインシステム１０１（図４参照）全体が、例えば夜間停止しているときでも、返品薬払出装置２の返却動作及びそれに対応する指示端末４の動作だけが稼働していることがある。その場合、ローカルデータベース３の返品薬在庫テーブル９の内容のみ更新されることになる。従って、翌朝、払出ラインシステム１０１全体が再起動する際には、データベース５に格納されるテーブル（返品薬払出装置在庫用テーブル７ａ、返品薬払出装置払出用テーブル７ｂ、返品薬払出装置回収用テーブル７ｃ等）と、指示端末４に付属するローカルデータベース３（返品薬在庫テーブル９等）との、同期をとる処理が行われる。
【００２９】
返品薬払出装置２と指示端末４、及び、返品薬払出装置２と薬剤返戻制御装置６は、夫々、ＲＳ−２３２Ｃ等を介して接続している。また、指示端末４と薬剤返戻制御装置６は、ＬＡＮ等を介して接続している。
【００３０】
１．２．払出ラインシステムの構成
図４上部に示す図は、本実施形態の返品薬払出装置２を含む払出ラインシステム１０１の全体構成図である。返品薬剤の払出や回収のためのトレイが、払出ラインシステム１０１内を通過する。払出ラインシステム１０１は、ユーザの仕様により種々の機器構成が考えられるが、例えば、図４では、供給リフタ１０３、ボトル払出機１０５、返品薬払出装置２、ランダム払出機１０７、特殊払出機１０９、冷所払出機１１１、袋詰機１１３、プリンタユニット１１５、排出リフタ（リライト付き）１１７、及び積上リフタ１１９等により構成されている。
【００３１】
供給リフタ１０３は、払出ラインシステム１０１を左から右へ流れるトレイを充填する装置である。ボトル払出機１０５は、輸液バック(生理食塩水)を払い出す装置である。ランダム払出機１０７は、アンプルを払出す装置である。特殊払出機１０９は、特殊形状のアンプル（５連アンプルなど)を払出す装置である。冷所払出機１１１は、冷所保管が必要なアンプル専用の払出装置である。袋詰機１１３は、この袋詰機１１３に至るまでに払出された薬品を袋(薬袋)に充填する装置である。プリンタユニット１１５は、注射箋（処方に基づく、トレイ内に払出された薬品のリスト）や（薬袋や薬自体に添付される）投与対象患者情報を付したラベルをプリントする装置である。ランダム払出機１０７や特殊払出機１０９は、新品のアンプル（即ち、非返品薬剤）を払い出す。なお、払出ラインシステム１０１におけるランダム払出機１０７や特殊払出機１０９は、どのような払出機でも構成され得る。
【００３２】
払出ラインシステム１０１は、図４に示すものと異なるように構成されてもよく、例えば、返品薬払出装置２を２台以上、含んでもよい。また、払出ラインシステム１０１は、カセット式注射薬払出機を含み得る。カセット式注射薬払出機には通常、特定の薬品をその薬品専用のカセットに整列して収容する方式と、特定の薬品をその薬品専用のカセットにランダムに収容する方式とがある。前述のランダム払出機１０７は、特定の薬品をその薬品専用のカセットにランダムに収容する方式のものである。
【００３３】
前記カセット式注射薬払出機は、カセットに詰められたアンプルをそのカセットから払出す装置である。薬剤を格納するカセットは、カセット式注射薬払出機内に差し込まれて保持される。カセットは、カセット式注射薬払出機の縦（鉛直）方向及び水平方向に多数配置される。カセットの内部には、個々のカセットに対応する薬剤が格納される。カセット式注射薬払出機は、薬剤返戻制御装置６や指示端末４から特定の薬剤を払い出す信号を受信すると、その特定の薬剤を格納するカセットからその特定の薬剤を払い出す。
【００３４】
なお、上述のカセット式注射薬払出機に仮想上対応する仮想カセット（の概念）が構築されていることがある。後で説明する、返品薬払出装置２の格納部１５は、現実のカセットにより構築されるものでは無いが、仮想上若しくは論理上、カセットの概念に従って薬剤を格納することができる。
【００３５】
前述の薬品マスタは、薬品（薬品コード）毎に、在庫上限、在庫定数、及び、在庫下限のデータを備えることができる。返品薬払出装置２の格納部１５において、個々の薬剤（薬品）は様々な格納位置（格納アドレス）に格納されるが、薬品毎に纏めると、同じ薬品は仮想上、格納部１５の備える全体格納領域内に或る領域を備えることになる。この同じ薬品毎の領域を、（個数上の）在庫上限、在庫定数、及び、在庫下限により制約を加えて管理するのが、仮想カセットの考え方である。
【００３６】
ここで、「在庫定数」は、その薬品しか置けない仮想上の割り付け領域に対応する個数である。この「在庫定数」は仮想カセットの概念における基本的数値である。「在庫定数」は「最大実装量」と言うことがある。次に、「在庫上限」は、その薬品が格納部１５内にて仮想上占有して構わない個数の上限値である。ただし、仮想上その上限値により占有され得る領域には、他の薬品が入り込む可能性がある。更に、「在庫下限」は、薬品残量が僅かであることを外部に通知するための境界値である。「在庫下限」は「充填基準量」と言うことがある。
【００３７】
薬品マスタにおける薬品（薬品コード）毎のレコードおいては、在庫上限、在庫定数、及び、在庫下限の全てが設定されてもよいし、いずれも設定されなくてもよい。以上のように、仮想カセットの考え方に従って返品薬払出装置２の格納部１５に格納される薬品、及び、カセット式注射薬払出機のカセットに格納される薬品を、以下、「カセット薬品」と称することがある。
【００３８】
１．３．返品薬払出装置の構成
図４下部に示す図は、実施の形態１に係る返品薬管理システムにおける返品薬払出装置２の概略のブロック図である。返品薬払出装置２は、未使用の（アンプルやバイアルなどの）返品薬剤を格納する返却動作、格納された返品薬剤を払い出す払出動作、及び、格納された返品薬剤を回収する回収動作を行うことができる。返品薬払出装置２は、受入部１２、認識部１４、格納部１５、及び払出部１６を含む。
【００３９】
受入部１２は、例えば、７個の返却トレイ（図２０参照）を受け入れられるように構成されている。返却トレイは、例えば、病院の個々の病棟において使用されなかったアンプルやバイアルなどの返品薬剤を先ず収容するトレイである。認識部１４は、薬剤仕分装置内に収容された薬剤を認識する。即ち、認識部１４は、個々の返却トレイに乗せられた返品薬剤の向き、姿勢、形状、径及び全長、並びに、薬品コード及び有効期限などのデータを画像処理により認識する。認識部１４により認識された返品薬剤は、格納部１５に格納される。
【００４０】
アンプルやバイアルなどの返品薬剤は、返品薬払出装置２に含まれる第１のロボットの備える第１の吸着ノズル及び第１の吸着パッドに吸着されつつ、第１のロボットによって返却トレイから認識部１４まで移送される。更に、それらの返品薬剤は、返品薬払出装置２に含まれる第２のロボットの備える第２の吸着ノズル及び第２の吸着パッドに吸着されつつ、第２のロボットによって認識部１４から格納部１５まで移送される。第１の吸着ノズル及び第２の吸着ノズルは、真空源から供給される真空により返品薬剤を解放可能に吸着するのであり、先端に夫々ゴム製の第１の吸着パッド及び第２の吸着パッドが取り付けられている。
【００４１】
払出部１６は、薬剤返戻制御装置６からの処方指示に従って、格納部１５に格納された薬剤を、払出ラインシステム１０１内部を通過するトレイに払い出す。また、払出部１６は、格納部１５に格納された薬剤を、指示端末４から入力され薬剤返戻制御装置６により生成される回収指示（ダミー処方指示）に従って、払出ラインシステム１０１内部を通過するトレイへ回収する。
【００４２】
２．動作
２．１．返品薬払出装置の返却動作
返品薬払出装置２は、返品薬剤が乗せられた返却トレイを受入部１２にて受け入れ、それら返品薬剤を認識部１４により認識し、その認識に従い返品薬剤を格納部１５に仕分けして格納することで、返品薬剤の返却動作を行う。なお、返品薬管理システムの利用者は返却動作の開始指示を返品薬払出装置２、又は指示端末４のいずれにおいても行うことができるように、返品薬管理システムは構成されている。
【００４３】
返品薬払出装置２の受入部１２は、アンプルやバイアルなどの返品薬剤が乗せられた、例えば、７個の返却トレイを受け入れる。これら７個の返却トレイの各々は、図２０に示すように、受入部１２内で積層して一時的に格納される。
【００４４】
積層して一時的に格納される７個の返却トレイのうち、最も下部の返却トレイを、ＮＧ（Ｎｏ  Ｇｏｏｄ）トレイとして機能させることもできる。すなわち、返品薬払出装置２は、返品薬剤として格納部１５にそもそも入れる必要が無いと判断されるものを「ＮＧ」とし、このＮＧトレイに移す、という動作をすることもできる。ＮＧトレイに移される対象として、例えば、以下の３種類が挙げられる。
［１］薬品形状が一般的なアンプルやバイアルの形状でないもの
［２］後述の「返却許可設定」画面にて「返却不可薬品」として設定したもの
［３］薬剤返戻制御装置６に接続するデータベースに含まれる薬品マスタに登録されていない薬品であるもの
個々の返品薬剤がこれら［１］〜［３］に該当するか否かは、認識部１４及び指示端末４の制御部が判定する。特に［２］や［３］に該当するか否かの判定の際には、薬剤返戻制御装置６に接続するデータベースが参照される（［２］については後でも説明する。）。なお、最も下部の返却トレイ以外の返却トレイが、ＮＧトレイとして機能してもよい。このとき、最も下部の返却トレイは非ＮＧトレイとして機能してもよい。
【００４５】
個々の返却トレイ（ＮＧトレイは除く）に乗せられた返品薬剤は、認識部１４において、画像処理により認識される。その際、薬品コードを含むバーコードや、有効期限などのデータが取得される。
【００４６】
なお、返却される個々の薬品には「薬品識別コード」が割り振られる。この「薬品識別コード」は、例えば、「返却トレイの返品薬払出装置への返却日時」＋「連番」で構成される、一意的識別コードである。
【００４７】
返品薬払出装置２は、認識されたデータを薬剤返戻制御装置６及び指示端末４に送信する。送信されたデータに基づいて、薬剤返戻制御装置６は、返品薬払出装置在庫用テーブル７ａ（図２（Ａ）参照）と返品薬払出装置払出用テーブル７ｂ（図２（Ｂ）参照）にレコードを作成し、指示端末４は、ローカルデータベース３内の返品薬在庫テーブル９（図３参照）にレコードを作成する。
【００４８】
認識部１４により認識された返品薬剤は、格納部１５に仕分けされて格納される。格納部１５には、鉛直方向に複数の棚が設けられており、各棚には複数の列が設けられている。更に、各列は複数の横（方向の）位置を備える。つまり、格納部１５では、（棚、列、横位置）により、薬剤の格納位置（格納アドレス）が一意的に決定される。この（棚、列、横位置）の情報は、「充填棚番号」、「充填列番号」及び「充填横位置」のフィールドとして、ローカルデータベース３である、図３に示す返品薬在庫テーブル９のレコード内に記録される。
【００４９】
２．２．返品薬払出装置の払出動作
前述のように、返品薬払出装置２の払出部１６は、薬剤返戻制御装置６からの処方指示に従って、格納部１５に格納された薬剤を、払出ラインシステム１０１内部を通過するトレイに払い出す。
【００５０】
薬剤返戻制御装置６は、外部システム（例えば、病院総合システム）から処方データを受け付け、返品薬払出装置払出用テーブル７ｂ（図２（Ｂ）参照）を参照して、対象の薬品コードを含むレコードが存在する場合優先的にその薬剤を払い出すよう「割り付け処理」を行う。割り付け処理後、薬剤返戻制御装置６は、返品薬払出装置２に対して、薬品コードや払出本数などを含む払出指示データを送る。その他の、返品薬払出装置２に存在しない薬品については、薬剤返戻制御装置６は、払出ラインシステム１０１上のランダム払出機１０７や冷所払出機１１１から払出を行うようにランダム払出機１０７や冷所払出機１１１に払出指示データを送る。
【００５１】
送られた払出指示データ（薬品コード、本数）を基にして、返品薬払出装置２、更に返品薬管理システムは、ローカルデータベース３の返品薬在庫テーブル９（図３参照）の各レコードにおける、薬品コードを検索して、抽出する薬剤を再決定（再抽出）する。このとき返品薬在庫テーブル９の各レコードの「有効期限」の項目が参照される。これは、後で説明するように、有効期限不明である返品薬及び有効期限の近い返品薬が優先して払い出しされることがあるためである。なお、薬剤返戻制御装置６の割り付け処理後、他の処方指示のキャンセル等が発生する可能性があるため、返品薬払出装置２は再決定（再抽出）を行う。具体的な抽出（払出）作業の際には、「充填棚番号、充填列番号、充填横位置」のフィールドのデータが利用される。
【００５２】
ある薬品について、払出の本数よりも格納部１５での在庫の本数の方が多い場合、薬剤返戻制御装置６及び返品薬払出装置２は、次のようにして払出の優先順位を決定する。まず、返品薬払出装置在庫用テーブル７ａや返品薬在庫テーブル９の「有効期限」が不明である（即ち、「有効期限」に関するデータが空白である）場合、それが優先される。次に、返品薬払出装置在庫用テーブル７ａや返品薬在庫テーブル９の「有効期限」が近いものが、「有効期限」の遠いものよりも優先される。返品薬払出装置２が払出ラインシステム１０１に複数のユニットで組み込まれている場合に、複数の返品薬払出装置２間で有効期限が同じ返品薬剤が存在する、ということも想定される。この場合には、複数の返品薬払出装置２間で（即ち、ユニット間で）、優先順位が決定されていればよい。なお、後でも説明するように、「有効期限」が不明である薬剤が払出の対象とならないことがある。その場合には上述のように「有効期限」の内容による優先度やユニット間での優先度に従って、払出の優先度が決定されればよい。
【００５３】
図５（１）は、払出時における、処理の流れを示す図である。図５（１）における締めモニタ８６は薬剤返戻制御装置６の機能である。締めモニタ８６は、外部システムにより更新される処方データ８５を監視する。締めモニタ８６は、更新された処方データ８５に基づいて、返品薬払出装置払出用テーブル７ｂのレコードに対して割り付け処理を行う。これにより、薬剤返戻制御装置６は払出指示データ８７を生成し、生成された払出指示データ８７を受けて、返品薬払出装置２、ランダム払出機１０７及び冷所払出機１１１等はアンプルピッキング処理（払出）９１を実施し、払出ラインシステム１０１は集計表８９を作成する。
【００５４】
図６は、図５（１）に示す、返品薬払出装置２及び返品薬管理システムの払出処理の具体的なフローチャートである。先ず、薬剤返戻制御装置６は、外部システムからの処方データ８５を纏めて定期的に処理する（締め処理）（ＳＴ４１）。薬剤返戻制御装置６は、返品薬払出装置払出用テーブル７ｂに対象の薬品のレコードが有るか否かチェックし（ＳＴ４２）、有ればその薬品のレコードに対して割付処理を行う（ＳＴ４３）。無ければ、薬剤返戻制御装置６は、処方データ８５を、返品薬払出装置２以外の払出機（例えば、ランダム払出機１０７や冷所払出機１１１）に送信する。なお、締め処理（ＳＴ４１）は、割付処理（ＳＴ４３）の直後に行われるように構成されていてもよい。
【００５５】
薬剤返戻制御装置６が、返品薬払出装置払出用テーブル７ｂに対象の薬品のレコードが有ることを確認して（ＳＴ４２・ＹＥＳ）その薬品のレコードに対して割付処理を行ったら（ＳＴ４３）、返品薬払出装置２に払出指示データ８７を送る（ＳＴ４４）。一方、返品薬払出装置２は、ローカルデータベース３の返品薬在庫テーブル９から該当薬品コードのレコードを再決定（再抽出）する。このとき、前述のように返品薬在庫テーブル９の各レコードの「有効期限」の項目が参照される（ＳＴ４５）。決定（抽出）されたデータにより薬剤の「充填棚、充填列、充填横位置」を認識して、返品薬払出装置２は払出を行う（ＳＴ４６）。
【００５６】
返品薬払出装置２の払出を受けて、薬剤返戻制御装置６は、返品薬払出装置払出用テーブルの当該レコードの「払出完了日時（払出完了日付、払出完了時間）」を更新する（ＳＴ４７）。返品薬管理システムは、返品薬在庫テーブル９の当該レコードの「払出完了日時（払出完了日付、払出完了時間）」を更新する（ＳＴ４８）。このとき同時に、返品薬管理システムは、返品薬在庫テーブル９の当該レコードの「払出理由」のフィールドを、「払出」を示すデータに設定する。なお、返品薬払出装置２の払出を受けて、返品薬管理システムは、格納情報記憶部において、薬剤が払出により存在しなくなった位置についてはマスクを外す。よって、格納情報記憶部にて該位置は、配置（充填）可能領域となる。
【００５７】
２．３．返品薬管理システムの動作
返品薬管理システムの動作について説明する。図７（ａ）は、実施の形態１に係る返品薬管理システムにおける返品薬管理システムのメイン画面図である。メイン画面を含む返品薬管理システムの操作画面は、指示端末４が表示し動作させる。ユーザは、このメイン画面上で様々な処理（機能）を選択することができる。返品薬管理システムは、ユーザの選択に従った処理を実行する。返品薬管理システムが実行し得る、主たる処理（機能）の例として以下のものが挙げられる。
［１］薬品回収処理
［２］有効期限登録処理
［３］返却許可設定処理
［４］病棟登録処理
［５］各種表示処理
以下、それぞれの処理について、返品薬管理システムの動作を説明する。
【００５８】
２．３．１．薬品回収処理
２．３．１．１．薬品回収画面によるもの
薬品回収処理は、（ａ）薬品回収処理条件の設定、（ｂ）回収対象薬品の抽出、及び、（ｃ）回収実行の順序で行われる。
【００５９】
図７（ａ）に示すメイン画面において、薬品回収ボタン３０がタッチ（若しくは、クリック）されると、図８に示す薬品回収画面に移行する。薬品回収画面は、その左部において、回収の抽出条件設定部５６を含む。抽出条件設定部５６にて、ユーザにより詳細条件が入力され、若しくは、詳細条件に関するチェックボックスがチェックされ（（ａ）薬品回収処理条件の設定）、抽出実行ボタンがクリックされると、指示端末４は、画面の右上部に抽出条件に適合する薬品（のデータ）を表示する。
【００６０】
データの抽出及び抽出データの表示は、返品薬払出装置在庫用テーブル７ａ（若しくはローカルデータベース３の返品薬在庫テーブル９）の各レコード、及び、薬剤返戻制御装置６に接続するデータベース５に含まれる薬品マスタに基づいて行われる。図９を用いて、薬品回収処理の対象データを抽出するための処理を具体的に説明する。
【００６１】
指示端末４の制御部は、返品薬払出装置在庫用テーブル７ａの各レコードを読み出す（ＳＴ０２、ＳＴ０３）。次に、指示端末４の制御部は、抽出条件が、薬品マスタに格納されるデータに関するものか、又は、返品薬払出装置在庫用テーブル７ａ（若しくは返品薬在庫テーブル９）（の各レコード）に格納されるデータに関するものか、を判断する（ＳＴ０４）。
【００６２】
薬品回収画面で設定された抽出条件が薬品マスタに格納されるデータに関するものである場合、指示端末４の制御部は、返品薬払出装置在庫用テーブル７ａの各レコードに含まれる薬品コードをキー項目として薬品マスタを検索する（ＳＴ０５）。指示端末４の制御部は、検索された薬品マスタの各レコードにおけるフィールドデータ（例えば、薬種フラグなど）の内容が抽出条件に適合すれば、返品薬払出装置在庫用テーブル７ａからの抽出・表示を行う（ＳＴ０６、ＳＴ０７、ＳＴ０８、ＳＴ０９）。
【００６３】
例えば、図８の薬品回収画面における抽出条件として「向精神薬」が選択されており、返品薬払出装置在庫用テーブル７ａの或るレコードに含まれる薬品コードをキー項目として検索した薬品マスタのレコードの「薬種フラグ」に「１」が設定されているのであれば、指示端末４の制御部は、検索された薬品マスタのレコードにおけるフィールドデータの内容が抽出条件に適合したとして、返品薬払出装置在庫用テーブル７ａの当該レコードの抽出表示を行う。
【００６４】
一方、薬品回収画面で設定された抽出条件が返品薬払出装置在庫用テーブル７ａ（若しくは返品薬在庫テーブル９）（の各レコード）に格納されるデータに関するものである場合（例えば、抽出条件が「長期滞留」「有効期限切れ」「有効期限間近」等である場合）、返品薬払出装置在庫用テーブル７ａ（若しくは返品薬在庫テーブル９）のフィールド（例えば、「有効期限」や「作成日付」などのフィールド）に基づいて抽出・表示が行われる（ＳＴ１０、ＳＴ１１、ＳＴ１２、ＳＴ１３）（（ｂ）回収対象薬品の抽出）。以上の処理を返品薬払出装置在庫用テーブルの全レコードについて行う（ＳＴ０３、ＳＴ１４）。
【００６５】
図１０は、抽出条件が「有効期限間近」であるときの、図９のステップＳＴ１０における具体的処理を、主として示すフローチャートである。つまり、図１０に示すフローチャートは、ローカルデータベース３の返品薬在庫テーブル９の各レコードが、そのレコードにおける「有効期限」項目のデータに基づいて、「有効期限間近」という回収抽出条件に当てはまるか、をチェックする処理を行っている。なお、このフローチャートでは、返品薬払出装置在庫用テーブル７ａと、ローカルデータベース３の返品薬在庫テーブル９とは、同期するものとして両データファイルを扱っている。
【００６６】
まず、「有効期限間近日数」データが設定され格納される（ＳＴ２２）。有効期限間近日数」データの設定は、例えば、図７（ａ）のメイン画面の各種設定ボタンに係る機能の一つにより設定されてもよい。設定されたデータは、例えば、薬剤返戻制御装置６と接続する返品薬払出装置共有設定テーブルに格納されてもよい。次に、ユーザにより、図８に示す薬品回収画面における、回収の抽出条件設定部５６の「有効期限間近」のチェックボックスが、選択される。
【００６７】
「有効期限間近」のチェックボックスが選択されると、指示端末４の制御部は、返品薬在庫テーブル９の各レコードを順に読み出す（ＳＴ２４）。返品薬在庫テーブル９のレコード中の「有効期限」のデータ、及び、返品薬払出装置共有設定テーブルに格納される「有効期限間近日数」データを用いて、指示端末４の制御部は、有効期限間近であるか否かの計算（判定）をする（ＳＴ２６）。有効期限が間近であると計算（判定）すれば、指示端末４の制御部は、抽出・表示を行う（ＳＴ２７、ＳＴ２８）。以上の処理をローカルデータベース３の返品薬在庫テーブル９の全レコードについて行う（ＳＴ２５、ＳＴ２９）。
【００６８】
なお、前に説明した「カセット薬品」を薬品回収の対象から除外する場合には「カセット薬品除外」のチェックボックスにチェックされることになる。また、「上限超過薬品」ボタン５５がタッチ（若しくは、クリック）されていると、（仮想）カセットにおける「在庫上限」を超えている薬品のみを薬品回収の対象とすることになる。  また、「払出対象外」のチェックボックスにチェックされると、実装薬（即ち、「カセット薬品」）以外の非実装薬において、返品薬払出装置２によって払出をしない薬剤を、薬品回収の対象とすることになる。これにより、払出ラインシステム１０１から払出す薬剤と、手動で調剤する薬剤とを明確に仕分けすることができる。
【００６９】
次に、（ｃ）回収実行について説明する。図８に示す薬品回収画面における「回収実行」ボタン５７がタッチ（若しくは、クリック）されると、指示端末４の制御部は、返品薬払出装置２に対して回収指示を行う。この際、指示端末４の制御部は、返品薬払出装置在庫用テーブル７ａを参照しつつ、薬剤返戻制御装置６に接続するデータベース５に含まれる返品薬払出装置回収用テーブル７ｃ（図２（Ｃ）参照）へ新規のデータ（レコード）の書き込みを行う。
【００７０】
図５（２）は、回収時における、処理の流れを示す図である。図５（２）における回収監査モニタ８８は薬剤返戻制御装置６の機能であり、指示端末４が返品薬払出装置回収用テーブル７ｃ（図２（Ｃ）参照）へデータの書き込みを新規に行ったか否かを常時監視する。具体的には、回収監査モニタ８８は返品薬払出装置回収用テーブル７ｃ内の「回収連番」フィールドがインクリメントされるかどうかを監視している。返品薬払出装置回収用テーブル７ｃへのデータの新規の書き込み発生により、薬剤返戻制御装置６の回収監査モニタ８８は、ダミー処方指示データ（回収データ）９０を生成する。生成されたダミー処方指示データ（回収データ）９０は、アンプルピッキング処理（回収作業）９２を実施するために、薬剤返戻制御装置６から返品薬払出装置２に送信される。
【００７１】
ここでの指示データは回収データであり実際の処方データではないので、「ダミー処方指示データ」と称している。ここで「ダミー処方」とは、外部システム（例えば、前記病院総合システム）から送られてくる患者毎の処方とは異なり、前述の各種抽出条件に基づいて行う薬剤の払い出しのためのダミーの払出指示情報であり、通常の処方に基づく払出と同様の動作を返品薬払出装置２にさせるものである。
【００７２】
「ダミー処方指示データ」を受けて、返品薬払出装置２は、ダミー処方指示データに含まれる薬品識別コードを基に、ローカルデータベース３内の返品薬在庫テーブル９を参照・検索し、その薬品識別コードを付された薬品の「充填棚番号、充填列番号、充填横番号」を把握し、把握した「充填棚番号、充填列番号、充填横番号」に基づいて、実際の回収作業を行う（（ｃ）回収実行）。
【００７３】
図１１は、図５（２）に示す回収処理の具体的なフローチャートである。先ず、指示端末４は、薬品回収画面上で設定された抽出条件に基づいて、回収対象薬品データを抽出し、抽出した薬品への回収指示を行う（ＳＴ６１）。回収指示の直後、指示端末４は、返品薬払出装置在庫用テーブル７ａを参照して、返品薬払出装置回収用テーブル７ｃに新規のレコードの書き込みを行う。薬剤返戻制御装置６における回収監査モニタ８８は、返品薬払出装置回収用テーブル７ｃに新規のレコードが作成されたことをチェックする（ＳＴ６３）と、ダミー処方指示データ（回収データ）９０を発行する（ＳＴ６４）。ダミー処方指示データ（回収データ）９０を受けて、返品薬払出装置２は、返品薬在庫テーブル９から、ダミー処方指示データ（回収データ）９０における薬品識別コードのレコードを抽出する（ＳＴ６５）。返品薬払出装置２は、抽出されたデータにより薬剤の「充填棚、充填列、充填横位置」を認識し、認識された「充填棚、充填列、充填横位置」に基づいて回収作業を行う（ＳＴ６６）。
【００７４】
返品薬払出装置２の回収作業を受けて、薬剤返戻制御装置６は、返品薬払出装置在庫用テーブル７ａのうち、ダミー処方指示データにおける薬品識別コードを含むレコードの「払出完了日時（払出完了日付、払出完了時間）」を更新する。同時に、薬剤返戻制御装置６は、返品薬払出装置回収用テーブル７ｃのうち、ダミー処方指示データにおける薬品識別コードを含むレコードの「払出完了日時（払出完了日付、払出完了時間）」を更新する（ＳＴ６７）。返品薬管理システムは、返品薬在庫テーブル９の当該レコードの「払出完了日時（払出完了日付、払出完了時間）」を更新する（ＳＴ６８）。このとき同時に返品薬管理システムは、返品薬在庫テーブル９の当該レコードの「払出理由」のフィールドを、「指示回収」を示すデータに設定する。払出時と同様に、返品薬払出装置２の回収を受けて、返品薬管理システムは、格納情報記憶部において、薬剤が回収により存在しなくなった位置についてはマスクを外す。よって、格納情報記憶部にて該位置は、配置（充填）可能領域となる。
【００７５】
２．３．１．２．自動回収設定画面によるもの
なお、指示端末４では、前述の「（ａ）薬品回収処理条件の設定」を別の画面で行うこともできる。図７（ａ）に示すメイン画面において、各種設定ボタン３４がタッチ（若しくは、クリック）されると、図７（ｂ）に示すような、各種設定画面へ分岐するための設定画面ボタン群（３４ａ〜３４ｅ）が表示される。ここで「自動回収設定」ボタン３４ａがタッチ（若しくは、クリック）されると、図１２に示す自動回収設定（パターン設定）画面が表示される。この画面は、所定の日時（時刻）や所定の条件充足時に回収作業を行うように、返品薬払出装置２に予め指示を与えておくための画面である。図１２に示す画面では、「所定の日時（時刻）」を画面下部で設定するように構成されている。また、「所定の条件充足」とは、例えば、図１２に示すように、「ストック棚が満載になった時」や「返却トレイ内の返品薬が全て返却完了となったタイミング」である。この「ストック棚が満載になった時」や「返却トレイ内の返品薬が全て返却完了となったタイミング」は、図１２に示す自動回収設定（パターン設定）画面における棚満載時ボタン５８ａや返却完了時ボタン５８が「オン」されることにより、設定される。
【００７６】
図１２に示す自動回収設定（パターン設定）画面においては、画面の上部の自動回収条件設定部５６ａを介して、詳細条件が入力されることで、若しくは、詳細条件に関するチェックボックスがチェックされることで、薬品回収処理条件の設定が行われる。
【００７７】
図１２に示す自動回収設定（パターン設定）画面の自動回収条件設定部５６ａの「有効期限間近」チェックボックスがチェックされた上で、図７（ａ）のメイン画面に戻った場合、指示端末４は、返品薬払出装置在庫用テーブル７ａ内に対象レコードがあると判定すれば、図７（ａ）のメイン画面のボタン２２の表示を「有効期限間近薬品なし」から「有効期限間近薬品あり」に変え、更にボタン２２を点滅させる。ここで、「有効期限間近薬品あり」ボタン２２がタッチ若しくはクリックされると、抽出条件に適合する薬品（のデータ）が表示された、図８に示す薬品回収画面が表示される。この後、「回収実行」ボタン５７がクリックされると、回収指示が実行される。
【００７８】
なお、「回収実行」ボタン５７による回収指示がなされない場合も、図１２の自動回収設定（パターン設定）画面上で設定された自動回収のための条件・日時に基づいて、返品薬払出装置２への回収指示が実行される。
【００７９】
図１２に示す自動回収設定（パターン設定）画面の自動回収条件設定部５６ａの「長期滞留」などのチェックボックスがチェックされた場合においても、上記と同様の処理が実行される。「上限超過薬品」ボタン５６ａ、「カセット薬品除外」のチェックボックス、及び「払出対象外」のチェックボックスについても、図８の薬品回収画面における夫々のボタンやチェックボックスと同様の機能を備える。
【００８０】
このように、図１２に示す自動回収設定（パターン設定）画面では、回収作業を行う基準となる、所定の日時（時刻）や所定の条件が設定される。即ち、これら所定の日時（時刻）や所定の条件の充足時に回収作業が行われる。ここで、本実施形態の薬品回収処理が、返品薬払出装置２の格納部１５における薬剤の充填率が所定の閾値以上になれば行われる、というように、返品薬管理システムが構成されてもよい。なお、ここでの「充填率」とは、格納部１５に格納可能な最大の薬剤数に対する、格納部１５に実際に格納されている薬剤数の比率である。
【００８１】
図１２に示す自動回収設定（パターン設定）画面の自動回収条件設定部５６ａには、「返戻指定」のチェックボックスも設けられている。この「返戻指定」のチェックボックスが示すデータは、当該薬剤が返品薬管理（薬剤仕分）の対象であることを示すものである。この「返戻指定」のチェックボックスがチェックされると、データ上、返戻指定された薬品が自動回収の対象となる。データ上、返戻指定されているか否かは、返品薬払出装置在庫用テーブル９の「指定薬品フラグ」フィールドの内容（即ち、「指定薬品フラグ」が設定されていれば、返戻指定の対象である）により判別される。なお、各薬品について「返戻指定」の対象であるか否かの区分に関しては、例えば、別途、指示端末４において、薬品毎の設定画面が設けられてもよい。
【００８２】
更に、図１２に示す自動回収設定（パターン設定）画面の自動回収条件設定部５６ａには、「非搭載薬」のチェックボックスも設けられている。この「非搭載薬」のチェックボックスが示すデータは、当該薬剤が返品薬管理（薬剤仕分）の対象でない（即ち、返品薬管理システム（薬剤仕分装置）に搭載されない）ことを示すものである。非搭載薬には、例えば、特別な傷病手術でのみ用いられるような使用頻度の低い薬剤や、取扱いについて注意すべき薬剤等が含まれる。この「非搭載薬」のチェックボックスがチェックされると、データ上、非搭載薬であると設定された薬品が自動回収の対象となる。データ上、非搭載薬であると設定されているか否かは、返品薬払出装置在庫用テーブル９の「非搭載薬フラグ」フィールドの内容（即ち、「非搭載薬フラグ」が設定されていれば、非搭載薬である）により判別される。なお、各薬品について「非搭載薬」であるか否かの区分に関しても、例えば、別途、指示端末４において、薬品毎の設定画面が設けられてもよい。
【００８３】
上述の、「返戻指定」のチェックボックス、及び、「非搭載薬」のチェックボックスは、図８に示す薬品回収画面の左部の抽出条件設定部５６に設けられてもよい。
【００８４】
返品薬管理システムにおいて、自動回収のための条件・日時（即ち、自動回収パターン）が、複数設けられるようにしてもよい。前述のように、図７（ａ）に示すメイン画面において、各種設定ボタン３４がタッチ（若しくは、クリック）されると、図７（ｂ）に示すような、各種設定画面へ分岐するための設定画面ボタン群（３４ａ〜３４ｅ）が表示される。「自動回収設定」ボタン３４ａがタッチ（若しくは、クリック）されると、図１２に示す自動回収設定（パターン設定）画面が表示されるのであるが、ここで、まず、図１３に示すような、複数の自動回収のための条件・日時の一覧を示す「自動回収設定」画面が表示されるようにしてもよい。
【００８５】
図１３に示す自動回収設定画面では、「パターン追加」ボタン１５０がタッチ（若しくは、クリック）されると、続いて且つ初めて、図１２に示す自動回収設定（パターン設定）画面が表示される。図１２に示す自動回収設定（パターン設定）画面にて薬品回収処理条件が設定されて「登録」ボタンがタッチ（若しくは、クリック）されると、薬品回収処理条件が登録された上で、図１３に示す自動回収設定画面に戻る。この戻った際には、登録された薬品回収処理条件が、一覧に含まれて表示される。このように、図１３における「パターン追加」ボタン１５０のタッチ、及び、図１２における薬品回収処理条件の設定・登録が複数回行われると、図１３に示す自動回収設定画面には、複数の薬品回収処理条件、即ち、自動回収のための条件・日時（自動回収パターン）が、返品薬管理システムにて設定登録された上で、表示される。なお、図１３に示す「パターン変更」ボタンは、自動回収パターンを変更するための画面に進むボタンであり、「パターン削除」ボタンは、自動回収パターンを削除するためのボタンである。選択チェック１５６の欄は薬品回収処理条件を選択するためのチェック欄である。複数の選択チェック１５６の欄の選択が為されると、選択された薬品回収処理条件が（例えば、ＡＮＤ条件により）組み合わせられて実際の薬品回収処理条件が決定される。なお、複数の薬品回収処理条件に係るデータは、ローカルデータベース３内の、例えば、返品薬払出装置共有設定テーブルに格納されればよい。具体的には、返却処理完了時に薬品回収処理を行うか（即ち、「所定の条件充足」に薬品回収処理を行うか）又はタイマー設定時に薬品回収処理を行うか（即ち、「所定の日時（時刻）」に薬品回収処理を行うか）、などのデータが格納される。
【００８６】
以上のように、返品薬管理システムによる薬品回収処理により、不要な返品薬剤や格納に向かない不適切な返品薬剤が、返品薬払出装置２から適切に適時に取り除かれることになる。このことにより、格納部１５にて不必要な在庫や無駄な在庫が生じることが防がれる。従って、返品薬払出装置２の払出作業における効率性や確実性（安全性）が高められる。
【００８７】
２．３．１．３．薬品回収処理の変形例について
薬品回収処理の変形例について説明する。図２０に示す返品薬払出装置２の受入部１２は、７個までの返却トレイを受け入れるように構成されている。返品薬払出装置２の受入部１２は、８個以上の返却トレイを受け入れるように構成されることもある。
【００８８】
ここで、図１２に示す自動回収設定（パターン設定）画面における返却完了時ボタン５８が「オン」されており、「返却トレイ内の返品薬が全て返却完了となったタイミング」が自動回収を行うタイミングとして設定されているとする。
【００８９】
この場合、返品薬管理システムは、７個の返却トレイ（ＮＧトレイが設定されている場合には、６個の返却トレイ）が返却完了した時点で、即座に返品薬払出装置２に対して自動回収の作業を行うように指示するのでは無く、指示端末４の画面上に「自動回収を行いますか」のポップアップ、及び、「はい」「いいえ」のボタンを表示するようにしてもよい。「はい」のボタンが選択されると、返品薬管理システムは、返品薬払出装置２に対して自動回収の作業を行うように指示する。「いいえ」のボタンが選択された場合には、８個目以降の返却トレイ（ＮＧトレイが設定されている場合には、７個以降の返却トレイ）の返却が完了することによって、返品薬管理システムが返品薬払出装置２に対して自動回収の作業を行うように指示する、というように返品薬管理システムが構成されてもよい。
【００９０】
２．３．２．有効期限登録処理
２．３．２．１．不明の有効期限を登録する処理
返品薬管理システムが、返品薬払出装置在庫用テーブル７ａ内に「有効期限」が不明である（即ち、未入力である）レコードがあると判定すれば、図７（ａ）のメイン画面のボタン２８の表示を「有効期限不明薬品なし」から「有効期限不明薬品あり」へ変え、ボタン２８を点滅させる。ここで、「有効期限不明薬品あり」ボタン２８がタッチ（若しくはクリック）されれば、「有効期限」フィールドが不明である薬品（のデータ）の一覧リストが表示された、図１４に示す薬品有効期限登録一覧画面が表示される。なお、前述のように「有効期限」は「使用期限」と言い換えられることがあるが、両語は同義である。
【００９１】
図１４に示す薬品有効期限登録一覧画面においても、抽出条件設定部６２の設定により、一覧リストの表示を絞ることができる。
【００９２】
図１４に示す薬品有効期限登録一覧画面の一覧リストにおいて、一つの行がタッチ（若しくは、クリック）されると、図１５に示す、薬品有効期限登録画面が表示される。この画面では、返品薬払出装置２の認識部１４により取得された、タッチされた行に関連する薬品の画像データが表示される。薬品有効期限登録画面にて、当該薬品の画像データに基づいて、ユーザにより有効期限が入力（登録）される。この登録画面は、登録者のＩＤ（識別子）を入力するためのフィールドを含み、そのフィールドを介して登録者のＩＤが同時に入力（登録）されてもよい。なお、個別の薬品識別コードが割り振られる薬品毎に（即ち、薬品識別コード毎に）、ローカルデータベース３内に薬品の画像データが格納される。
【００９３】
返品薬管理システムによる有効期限登録処理により、有効期限が認識されなかった薬剤についても、有効期限を追加登録することができる。これにより、返品薬払出装置２内の有効期限管理対象の薬剤数をより増やすことができ、ひいては不用意な在庫を発生させることがなくなり、また、使用し得た薬剤を使用しないまま有効期限切れにするというような無駄を発生させることもなくなる。
【００９４】
２．３．２．２．有効期限を再読み取りする処理
なお、図１４に示す薬品有効期限登録一覧画面の「再読取」ボタン６３は、返品薬払出装置２の格納部１５に格納された返品薬剤を、認識部１４の画像処理により再び認識させ、これにより有効期限を含むデータを再取得するためのボタンである。具体的には、薬品有効期限登録一覧画面の一覧リストの一つの行をタッチ（若しくは、クリック）しつつ、「再読取」ボタン６３をタッチ（若しくは、クリック）することになる。このようにすることにより、返品薬払出装置２は、タッチされた行に示されている薬剤を、格納部１５から認識部１４に戻し、認識部１４に画像処理による認識を再び行わせる。有効期限を含むデータを再取得後、返品薬払出装置２は、再読み取りされた薬剤を再び、格納部１５に格納する。このとき、指示端末４は、返品薬在庫テーブル９の再読取フラグのフィールドに対して、再読み取りを行ったことを示すデータを格納する。
【００９５】
上述の、指示端末４に表示される薬品有効期限登録一覧画面の「再読取」ボタン６３に係る処理により、有効期限が認識されなかった薬剤について、返品薬払出装置２の認識部１４により有効期限を再取得させることができる。これにより、返品薬払出装置２内の有効期限管理対象の薬剤数をより増やすことができ、ひいては不用意な在庫を発生させることがなくなり、また、使用し得た薬剤を使用しないまま有効期限切れにするというような無駄を発生させることもなくなる。
【００９６】
また、返品薬在庫テーブル９の再読取フラグのフィールドにて、再読み取りを行ったことを示すデータが格納されている薬剤については、返品薬管理システム及び指示端末４は、上述の「再読取」ボタン６３に係る処理を行わせない、という制御を行うこともできる。このような制御を行うことにより返品薬管理システムは不必要で無駄な、再読み取り処理（再認識処理）の繰り返しを回避できる。
【００９７】
なお、図１４に示す薬品有効期限登録一覧画面においては、有効期限データが不正に変更されることを防ぐために、払出又は回収された薬品に関しては一覧リスト上に表示しないことが好ましい。
【００９８】
２．３．２．３．使用期限不明薬品払出設定による払出許可処理
図７（ａ）に示すメイン画面において、各種設定ボタン３４がタッチ（若しくは、クリック）されると、図７（ｂ）に示すような、各種設定画面へ分岐するための設定画面ボタン群（３４ａ〜３４ｅ）が表示される。ここで「その他設定」ボタン３４ｃがタッチ（若しくは、クリック）されると、図１６に示すその他設定画面が表示される。図１６に示すその他設定画面の「有効期限不明薬払出オン・オフ」ボタン１６０によって、有効期限不明薬品の払出を行うのか否かを制御することができる。つまり、「有効期限不明薬払出オン・オフ」ボタン１６０によって有効期限不明薬払出が「オン」の状態にされると、「有効期限不明薬払出がオン状態であること」が指示端末４の記憶部（ローカルデータベース３の、例えば、返品薬払出装置共有設定テーブル）に記憶され、これにより返品薬払出装置在庫用テーブル７ａの「有効期限」が不明であるレコードに係る薬剤も、払出処理の対象となる。また、「有効期限不明薬払出オン・オフ」ボタン１６０によって有効期限不明薬払出が「オフ」の状態にされると、「有効期限不明薬払出がオフ状態であること」が指示端末４の記憶部（ローカルデータベース３の、例えば、返品薬払出装置共有設定テーブル）に記憶され、これにより返品薬払出装置在庫用テーブル７ａの「有効期限」が不明であるレコードに係る薬剤は払出処理の対象とはならない。
【００９９】
なお、有効期限（使用期限）不明薬品の払出処理における取り扱いについて設定する画面が、更に用意されている。図１７は、そのような有効期限（使用期限）不明薬品のうち任意の薬剤の払出処理における取り扱いについて設定する画面である「返却薬品設定」画面である。図７（ｂ）に示す、各種設定画面へ分岐するための設定画面ボタン群（３４ａ〜３４ｅ）にて、「メンテナンス」ボタン３４ｅがタッチ（若しくは、クリック）され、更に、「返却薬品設定」ボタン（図示せず）がタッチ（若しくは、クリック）されると、図１７に示す返却薬品設定画面が表示される。任意の薬剤を指定し、画面左部の「使用期限（有効期限）無効」部において「払出常時許可」ボタン１６６が選択されると、図１６に示す、その他設定画面の「有効期限不明薬払出オン・オフ」ボタン１６０の状態に関わりなく、且つ、返品薬払出装置在庫用テーブル７ａの「有効期限」の状態に関わりなく、返品薬払出装置在庫用テーブル７ａにおけるレコードに係る薬剤が払出処理の対象となる。
【０１００】
一方で、画面左部の「使用期限（有効期限）無効」部において「払出許可設定対応」ボタン１６４が選択されると、図１６に示す、その他設定画面の「有効期限不明薬払出オン・オフ」ボタン１６０の状態に適合させて、返品薬払出装置在庫用テーブル７ａにおけるレコードに係る薬剤が払出処理の対象となるか否かが決定される。したがって、返却される薬剤に対し、払出対象ではないが、回収対象と設定することが可能になる。
【０１０１】
このように、有効期限不明薬品を払出処理でどのように扱うかについて、きめ細やかに設定することができる。
【０１０２】
２．３．３．返却許可設定処理
図７（ａ）に示すメイン画面において、各種設定ボタン３４がタッチ（若しくは、クリック）されると、図７（ｂ）に示すような、各種設定画面へ分岐するための設定画面ボタン群（３４ａ〜３４ｅ）が表示される。ここで「返却許可設定」ボタン３４ｂがタッチ（若しくは、クリック）されると、図１８に示す返却許可設定画面が表示される。この画面は、返品薬払出装置２に返品してよい薬品を設定するための画面である。つまり、図１８に示す設定画面では返品してはならない返却不可薬品の条件を設定することで、ユーザの所望の返却処理を実行することができる。より具体的には、この画面は、所定の時間帯において、及び所定の薬品以外の薬品（すなわち、返却不可薬品でない薬品）に対して、返却作業を行うように返品薬払出装置２に予め指示を与えておく画面である。図１８に示す画面では、「所定の時間帯」を画面の下部で設定するように構成されている。また、図１８に示す画面は、「返却不可薬品」を画面の上部で設定するように構成されている。例えば、「上限超過薬品」のチェックボックスにチェックされていると、（仮想）カセットにおける「在庫上限」を超えている薬品が返却不可の薬品となる。また、「払出対象外」のチェックボックスにチェックされていると、実装薬（即ち、「カセット薬品」）以外の非実装薬において、返品薬払出装置２によって払出をしない薬品が返却不可の薬品となる。
【０１０３】
画面の下部にて、時間帯が設定されると、その時間帯にのみ返却作業を行うように返品薬払出装置２は指示される。また、画面の上部にて、返却不可薬品が設定されると、返却トレイ内の返却不可薬品をＮＧトレイに移すように返品薬払出装置２は指示される。
【０１０４】
図１９は、図１８に示す返却許可設定画面で設定された返却許可設定に基づく、返却トレイ上の薬剤に対する返却処理のフローチャートである。まず、返却許可設定画面上で設定された開始時刻になると、本処理が開始する（ＳＴ８１）。返品薬払出装置２の認識部１４は、返却トレイ上の薬剤を一つずつ認識する作業を行う（ＳＴ８２）。返却許可設定画面の上部において、返却不可薬品についての（条件の）設定が為されていなければ（ＳＴ８４・ＮＯ）、返品薬払出装置２は薬剤を格納部１５に格納する。これと同時に、指示端末４の制御部は、後の処理（払出処理、回収処理、及び集計処理など）に備えるために、返品薬払出装置在庫用テーブル７ａ、返品薬払出装置払出用テーブル７ｂ、及び、（ローカルデータベース３の）返品薬在庫テーブル９にて、夫々、新規のレコードを作成する（ＳＴ８９）。更に、返品薬払出装置２の認識部１４は薬剤の認識作業を継続する（ＳＴ８２）。
【０１０５】
返却許可設定画面の上部において、返却不可薬品についての（条件の）設定が有れば（ＳＴ８４・ＹＥＳ）、指示端末４の制御部は、返品薬払出装置２の認識部１４により認識されたバーコードに含まれる薬品コードに基づいて、薬品マスタを読み出す（ＳＴ８５）。指示端末４の制御部が、薬品マスタにおける項目（フィールド）データにて返却不可条件に適合するものがある（ＳＴ８６・ＹＥＳ）、若しくは、他に返却不可条件がある（ＳＴ８７・ＹＥＳ）と判別すれば、返品薬払出装置２は、薬剤をＮＧトレイに移す。これと同時に、指示端末４の制御部は、後の処理（払出処理、回収処理、及び集計処理など）に備えるために、ＮＧフラグを「１」としＮＧコメントの書き込みを行った上で、返品薬払出装置在庫用テーブル７ａ、及び、（ローカルデータベース３の）返品薬在庫テーブル９にて、夫々、レコードを作成する（ＳＴ９０）。
【０１０６】
一方で、指示端末４の制御部が、薬品マスタにおける項目（フィールド）データにて返却不可条件に適合するものが無く（ＳＴ８６・ＮＯ）、且つ、他にも返却不可条件が無い（ＳＴ８７・ＮＯ）と判別すれば、返品薬払出装置２は薬剤を格納部１５に格納する。これと同時に、指示端末４の制御部は、後の処理（払出処理、回収処理、及び集計処理など）に備えるために、返品薬払出装置在庫用テーブル７ａ、返品薬払出装置払出用テーブル７ｂ、及び、（ローカルデータベース３の）返品薬在庫テーブル９にて、夫々、新規のレコードを作成する（ＳＴ８９）。更に、返品薬払出装置２の認識部１４は、薬剤の認識作業を継続する（ＳＴ８２）。
【０１０７】
図１９に示すフローチャートに係る処理は、認識部１４の認識対象の薬剤が無くなれば（ＳＴ８３・ＹＥＳ）、終了する（ＳＴ９１）。また、図１８で設定される終了時刻にて（ＳＴ８８・ＹＥＳ）、処理が終了する（ＳＴ９１）。
【０１０８】
返品薬管理システムによる返却許可設定処理により、本来、返品薬払出装置２に保管されるべき薬剤でない薬剤について、保管管理上、他の保管すべき場所（冷所、劇薬管理庫等）が在ることに対して注意喚起することができるだけでなく、有効期限が間近なものや切れたもの、或いは不明なものまでを返品薬払出装置２内に格納してしまい、本来収容しなければならない薬剤のスペースを潰してしまうというようなことも無くなる。その結果、より効率的で正しい返却処理を実施することができる。
【０１０９】
２．３．４．病棟登録処理
図７（ａ）に示すメイン画面において、病棟登録ボタン３８がタッチ（若しくは、クリック）されると、図２０に示す病棟登録画面が表示される。この画面は、返品薬払出装置２の受入部１２内に受け入れられている返却トレイ毎に、返却元の病棟名を登録するための画面である。前述のように、返品薬払出装置２における受入部１２は、例えば、最大で７個の返却トレイが受け入れられるように構成されている。即ち、図２０の病棟登録画面に示すように、受入部１２は、７個のトレイ受入棚を備える。個々のトレイ受入棚に実際に返却トレイが設置されると、それに対応して、図２０の病棟登録画面の左部において、返却トレイ画像が表示される。
【０１１０】
表示された個々の返却トレイに対して、病棟登録画面の右部では、返却トレイの返却元の病棟名を選択の上、登録することができるようになっている。病棟名のデータは、返却される各薬剤のデータと結び付けて、データベース（例えば、返品薬払出装置在庫用テーブル７ａ）に格納することができる。
【０１１１】
返品薬管理システムにより返却トレイの病棟名を登録することにより、各病棟別の返品薬剤の状況が迅速かつ明確に把握され得ることになる。特に、病棟名のデータは、統計データとして、具体的な帳票等の作成に利用することができる。
【０１１２】
２．３．５．各種表示処理
図７（ａ）に示すメイン画面では、様々な各種情報が表示され得る。例えば、画面左部では、返品薬払出装置２の受入部１２において、空いている（即ち、実際に返却トレイが設置されていない）トレイ受入棚の数が表示される（図７（ａ）では、例として「空５」と表示されている。）。また、最下段のＮＧトレイに薬剤が移されているか否かが表示される（図では、例として「薬品なし」と表示されている。）。
【０１１３】
また、画面右部では、返品薬払出装置２の格納部１５に格納された薬剤の、大きさ別の（即ち、Ｓ、Ｍ、Ｌ別の）構成比率が、グラフによりリアルタムで表示される。ここでの「大きさ別の構成比率」とは、（Ｓ、Ｍ、Ｌの）各サイズに対応する棚における、対応サイズを備える薬剤が占有する率である。
【０１１４】
また、図７（ａ）に示すメイン画面では、吸着パッド交換メッセージが表示され得る。例えば、薬剤返戻制御装置（薬剤収容制御装置）６の記憶部には、ゴム製の吸着パッド（第１の吸着パッド、第２の吸着パッド）が装着若しくは交換された年月日が、吸着パッドの使用開始日として夫々記憶されている。返品薬管理システム（薬剤仕分装置）は、吸着パッドの使用開始日から所定の期間（例えば、２ヶ月と２０日）が経過すれば、指示端末４のメイン画面に「第１の吸着パッド（又は、第２の吸着パッド）を交換すべき３ヶ月が近づいています。」と表示するように構成されている。更に、返品薬管理システム（薬剤仕分装置）は、吸着パッドの使用開始日から所定の期間（例えば、３ヶ月）が経過すれば、指示端末４のメイン画面に「第１の吸着パッド（又は、第２の吸着パッド）を交換すべき３ヶ月が過ぎました。すぐに交換して下さい。」と表示するように構成されている。
【０１１５】
更に、薬剤返戻制御装置（薬剤収容制御装置）６の記憶部には、吸着パッド（第１の吸着パッド、第２の吸着パッド）の交換日以降の、吸着ノズル及び吸着パッド（第１の吸着ノズル及び第１の吸着パッド、第２の吸着ノズル及び第２の吸着パッド）の稼働回数（即ち、吸着パッドの吸着回数）が夫々記憶されている。返品薬管理システム（薬剤仕分装置）は、吸着パッドの使用開始日からの稼働回数が所定の回数（例えば、２７０００回）を超えれば、指示端末４のメイン画面に「第１の吸着パッド（又は、第２の吸着パッド）を交換すべき３００００回の使用が近づいています。」と表示するように構成されている。更に、返品薬管理システム（薬剤仕分装置）は、吸着パッドの使用開始日からの稼働回数が所定の回数（例えば、３００００回）を超えれば、指示端末４のメイン画面に「第１の吸着パッド（又は、第２の吸着パッド）を交換すべき３００００回の使用を超えました。すぐに交換して下さい。」と表示するように構成されている。
【０１１６】
更に、返品薬払出装置（収容薬払出装置）２の認識部１４は、吸着パッドの吸引圧力を定期的にモニタする吸引圧力モニタを備えてもよい。そして、吸引圧力モニタがモニタする吸着パッド（第１の吸着パッド、第２の吸着パッド）の吸引圧力が所定値を下回る事態が発生すると、指示端末４のメイン画面に「第１の吸着パッド（又は、第２の吸着パッド）の吸引圧力が低下しています。交換して下さい。」と表示するように、返品薬管理システム（薬剤仕分装置）が構成されてもよい。
【０１１７】
以上のようなメイン画面における吸着パッド交換メッセージを、表示させるか否かを設定する画面が返品薬管理システム（薬剤仕分装置）にて構築されており、それを指示端末４にて使用できることが好ましい。同様に、吸着パッドを交換すべき所定の使用期間、吸着パッドを交換すべき所定の稼働回数、及び、吸着パッドを交換すべき所定の最低限の吸引圧力値を設定する画面も返品薬管理システム（薬剤仕分装置）にて構築されており、それを指示端末４にて使用できることが好ましい。
【０１１８】
また、図７（ａ）に示すメイン画面では、カセット式注射薬払出機、及び、返品薬払出装置２の格納部１５における、カセット薬品の在庫状況を「カセット薬品在庫」ボタン２１ｂにより表示している。まず、カセットにおいて、在庫数がゼロであるカセットが少なくとも一つあれば、「欠品あり」と表示される。「欠品あり」に該当するカセットが無くとも、在庫数が充填基準量（在庫下限）より少なく１以上であるカセットが少なくとも一つあれば、「残少あり」と表示される。「欠品あり」に該当するカセットや「残少あり」に該当するカセットが無く、全てのカセットにおいて、在庫数が最大実装量（在庫定数）と充填基準量（在庫下限）の間にあれば、「適正」と表示される。なお、メイン画面において、払出ラインシステム１０１の中でのカセットにおける在庫情報を表示するようにしてもよい。
【０１１９】
２．３．６．入出庫履歴表示処理
図７（ａ）に示すメイン画面において、照会ボタン３２がタッチ（若しくは、クリック）され、更に、「入出庫照会」ボタン（図示せず）がタッチ（若しくは、クリック）されると、図２１に示す入出庫照会画面（入出庫履歴画面）が表示される。ここで画面左部の「抽出条件」を入力すれば、データベース５及びローカルデータベース３に格納されるデータに基づいて、抽出条件に適合する入庫データ、即ち返却薬剤データの一覧、又は、出庫データ、即ち払出データ及び回収データの一覧が、表示される。このとき、画面右下部に一覧（抽出条件に適合する返却薬剤データの一覧、又は、抽出条件に適合する払出データ及び回収データの一覧）に含まれるデータ件数が表示される。
【０１２０】
図２１に示す入出庫照会画面（入出庫履歴画面）の右部では、出庫データの一覧が表示されている。なお、出庫データの一覧では「払出理由」の項目が表示される。払出理由には、「払出」と「指示回収」とが含まれる。払出理由の表示は、ローカルデータベース３の返品薬在庫テーブル９における「払出理由」のフィールドに格納されるデータに基づいて行われる。なお、払出処理時には、返品薬払出装置払出用テーブル７ｂから払出指示データ８７が生成されるので（図５（１）参照）、そのことを受けて返品薬管理システムは、ローカルデータベース３の返品薬在庫テーブル９における「払出理由」のフィールドに「払出」を示すデータを格納する。一方、回収処理時には、返品薬払出装置回収用テーブル７ｃから回収データ（ダミー処方データ）９０が生成されるので（図５（２）参照）、そのことを受けて返品薬管理システムは、ローカルデータベース３の返品薬在庫テーブル９における「払出理由」のフィールドに「指示回収」を示すデータを格納する。
【０１２１】
前述のように図２１に示す入出庫照会画面（入出庫履歴画面）の右部では、出庫データの一覧が表示されている。表示された一覧リストにおいて、任意の薬品のデータに関する１行がタッチ（若しくは、クリック）されると、返品薬払出装置２の認識部１４により取得された、タッチ（若しくは、クリック）された行に関連する薬品の「有効期限（使用期限）」を含む画像データと、返品薬払出装置在庫用テーブル７ａ内の「有効期限（使用期限）」データとが、表示されている画面（有効期限登録チェック画面）が表示されるようにしてもよい。この有効期限登録チェック画面を利用することにより、返品薬払出装置２において読み取られた有効期限データが正確であるかチェックをすることができる。
【０１２２】
なお、表示する一覧リストにおいては、既に払出や回収が為された返品薬払出装置２には無い薬品についてのデータが表示されているため、それら薬品に関しても返品薬払出装置２が読み取った有効期限データが正確であるかチェックをすることができる。また、このような有効期限登録チェック画面は、既に払出や回収が為され返品薬払出装置２には無い薬品についてのデータも表示することから、有効期限データが不正に変更されることを防ぐために、少なくとも既に払出がされ返品薬払出装置２には無い薬品について、この画面から有効期限データの変更ができないように構成されていることが望ましい。
【０１２３】
２．３．７．複数の薬品が割り当てられたバーコードに関する表示と薬品の選択
一つの薬品バーコードに対して、複数の薬品が割り当てられていることがある。その場合、返品薬管理システムは複数の薬品が割り当てられていることを示す画面を、指示端末４に表示することができる。更に、指示端末４の当該画面では、複数の薬品のうち一つの薬品を選択することができる。選択後、返品薬管理システムは、その薬品バーコードに対応する薬品として、選択された薬品を使用することになる。
【０１２４】
２．３．８．薬品集計表の出力
返品薬管理システムを含む払出ラインシステム１０１は、ネットワーク接続されたプリンタから帳票出力することができる。図２２は帳票の一つである病棟別薬品集計表７０を示している。病棟別薬品集計表７０は、払出ラインシステム１０１から払出を行った薬剤について、払出実施日毎に、病棟別に集計を行い出力される帳票である。表内では薬品別に払い出された本数が表示されている。
【０１２５】
病棟別薬品集計表７０では、薬品別に払い出された本数内に、返品薬払出装置２から払い出されたものが含まれていれば、その旨を示すマーク（図２２では、星マーク）７２が薬品の本数表示の右側に示される。
【０１２６】
図２３は、薬剤返戻制御装置６が出力する払出指示データ８７に基づいて、返品薬管理システムを含む払出ラインシステム１０１が病棟別薬品集計表７０を出力する処理のフローチャートである。返品薬管理システムは、払出実行された後の払出指示データ８７を順次取り出す（ＳＴ１０２）。順次取り出す払出実行された後の払出指示データ８７について、返品薬管理システムは、払出実施日別・病棟別に、払出薬品毎の本数を集計していく。このとき、返品薬払出装置２から払出実行されたものが払出薬品に含まれていれば、返品薬管理システムは、その払出薬品について「返品薬あり」フラグを記憶する（ＳＴ１０４）。払出実行された後の払出指示データ８７が終了すれば（ＳＴ１０３・ＹＥＳ）、返品薬管理システムは集計に係る処理を終了する。
【０１２７】
続いて、返品薬管理システムを含む払出ラインシステム１０１は、払出実施日別・病棟別に、払出薬品毎の本数を印刷する（ＳＴ１０５）。このとき、払出薬品毎の本数内に返品薬払出装置２から払出された薬品が含まれているならば、即ち、印刷対象の払出薬品について「返品薬あり」フラグが記憶されているならば、返品薬管理システムを含む払出ラインシステム１０１は、払出薬品の本数データの近傍にマークを印刷する（ＳＴ１０７）。払出薬品の集計データが終了すれば（ＳＴ１０８・ＹＥＳ）、印刷に係る処理は終了する（ＳＴ１０９）。
【０１２８】
このように、病棟別薬品集計表７０において、薬品別に払い出された本数内に返品薬払出装置２から払い出されたものが含まれている場合に、その旨を示すマークが本数表示の右側に示されれば、払出薬品に返品薬剤が含まれていることが明確になる。
【０１２９】
更に、払出ラインシステム１０１から払出された薬剤を収集するトレイに対し、払出された薬剤の情報を示す「注射箋」なる箋（紙片）が付加されることがある。この注射箋に表示される薬品情報においても、上記の病棟別薬品集計表７０と同様に、返品薬が含まれていることを示すマークを付すことができる。
【０１３０】
２．３．９．回収リライトカードの出力
返品薬管理システムが回収動作を行った際には、返却トレイに対して回収リライトカード７４を付与する。ここでのリライトカードは、文字情報、図形情報、及びバーコード等の情報を、書換装置により表示変更可能なカードであり、ロイコ方式や白濁方式のものが利用可能である。回収リライトカードとして、これらの方式のリライトカードの代わりに、電子ペーパや液晶ディスプレイが用いられてもよい。
【０１３１】
返品薬管理システムを含む払出ラインシステム１０１が返却トレイに対して付与する「回収リライトカード」７４には、回収条件が表示される。図２４（ａ）は、回収リライトカード７４における回収条件の表示例である。
【０１３２】
返品薬管理システムは、返品薬払出装置回収用テーブル７ｃを参照して回収条件を把握する。例えば、長期滞留フラグや有効期限間近フラグなどのフィールドが参照される。即ち、図８（又は図１２）に示す薬品回収画面にて入力された抽出条件が、回収リライトカード７４に表示される。回収リライトカード７４は、例えば、払出ラインシステム１０１における排出リフタ（リライト付き）１１７において作成することができる。
【０１３３】
図２４（ｂ）は、図２４（ａ）に示す回収リライトカードを出力する処理のフローチャートである。まず、返品薬払出装置２の回収作業により、薬剤返戻制御装置６の制御部は返品薬払出装置回収用テーブル７ｃに新規のレコードを作成する（ＳＴ１２２）。返品薬管理システムは、当該レコードによって、回収の理由を取得する（ＳＴ１２３）。排出リフタ（リライト付き）１１７はリライトカードに当該回収の理由を印刷して、回収のためのトレイと共に出力する（ＳＴ１２４）。
【０１３４】
このように、回収リライトカード７４により回収条件が明確に表示されることにより、回収対象の薬品についての処置が即座に把握されることになる。それのみならず、トレイの取り間違いが防止され得るので、回収した後の作業のミスが軽減され、同時に作業効率も向上する。
【符号の説明】
【０１３５】
２・・・返品薬払出装置、３・・・ローカルデータベース、４・・・指示端末、５・・・データベース、６・・・薬剤返戻制御装置、１２・・・受入部、１４・・・認識部、１５・・・格納部、１６・・・払出部、１０１・・・払出ラインシステム、１０３・・・供給リフタ、１０５・・・ボトル払出機、１０７・・・ランダム払出機、１０９・・・特殊払出機、１１１・・・冷所払出機、１１３・・・袋詰機、１１５・・・プリンタユニット、１１７・・・排出リフタ（リライト付き）、１１９・・・積上リフタ。
【要約】
薬剤の向き及び姿勢と、形状、大きさ、種類、有効期限等の性状とを自動的に認識して高い自由度を確保して薬剤を格納する、 薬剤仕分装置を提供する。本発明の薬剤仕分装置は、薬剤の、少なくとも形状、大きさ、種類の性状を含む薬剤データを認識する認識部と、薬剤を格納する格納部と、前記格納部への薬剤の格納状況を記憶する格納情報記憶部と、薬剤に関するデータを記録する薬剤関連データテーブルを記憶する記憶部とを備え、収容された薬剤を前記認識部により認識することで得られる前記薬剤データおよび格納情報記憶部に基づいて、当該薬剤が格納される格納位置を決定し、前記薬剤を格納し、格納した前記薬剤の薬剤データと、前記格納位置データとを関連付けて前記薬剤関連データテーブルに記録する。【図１】
0005904315.tif 000002
【図２】
0005904315.tif 000003
【図３】
0005904315.tif 000004
【図４】
0005904315.tif 000005
【図５】
0005904315.tif 000006
【図６】
0005904315.tif 000007
【図７】
0005904315.tif 000008
【図８】
0005904315.tif 000009
【図９】
0005904315.tif 000010
【図１０】
0005904315.tif 000011
【図１１】
0005904315.tif 000012
【図１２】
0005904315.tif 000013
【図１３】
0005904315.tif 000014
【図１４】
0005904315.tif 000015
【図１５】
0005904315.tif 000016
【図１６】
0005904315.tif 000017
【図１７】
0005904315.tif 000018
【図１８】
0005904315.tif 000019
【図１９】
0005904315.tif 000020
【図２０】
0005904315.tif 000021
【図２１】
0005904315.tif 000022
【図２２】
0005904315.tif 000023
【図２３】
0005904315.tif 000024
【図２４】
0005904315.tif 000025